(57)【要約】【課題】確実な評価結果が、短時間で人手によらず、かつ判断し易い形で得られ、操作者が熟練者でなくとも、誤り無く判定を行うことができる直流電源装置評価システムおよび直流電源評価装置を得ること。【解決手段】オペレータが操作装置２から評価指示を入力すると、制御手段３が、直流電源装置１が所定の入力電圧の下で負荷印加手段９が実現する負荷状態に対して電圧・電流を出力するように、各部を制御する。そして、制御手段３が、各計測手段の計測結果から評価項目に対応した評価結果を取得して、操作装置２に与える。操作装置２は、受け取った評価結果を表示する、或いは、印刷出しすることで、オペレータが熟練者でなくとも、誤り無く判定が行えるようにする。【選択図】        図１
2009069042.tif 000002
【特許請求の範囲】
【請求項１】
１以上の出力端を有する直流電源装置の入出力特性を評価する直流電源装置評価システムであって、
設定された入力情報が示す周波数での交流電圧、交流電流を前記直流電源装置に供給し、前記入力情報に所定期間の供給停止指示があるときはその指示期間内前記供給の停止を行う交流安定化電源手段と、
指示に従って、前記交流安定化電源手段から前記直流電源装置への交流電源供給路に介在する電源投入スイッチの投入制御とその解除制御とを行う電源入力手段と、
指示に従って、前記直流電源装置の入力電圧、入力電流等を計測する入力計測手段と、
指示に従って、前記交流安定化電源手段に前記供給停止指示を含む前記入力情報を設定し、前記電源入力手段に前記電源投入スイッチの制御を指示し、前記入力計測手段に計測指示を発行して計測結果を取り込んで出力することを行う入力設定手段と、
設定された負荷情報が示す負荷電圧、負荷電流による負荷状態を前記直流電源装置の出力端に実現する負荷印加手段と、
前記負荷印加手段が前記直流電源装置の出力端に実現した負荷状態における前記直流電源装置の負荷電圧、負荷電流等を指示に従って計測する負荷計測手段と、
指示に従って、前記負荷情報を前記負荷印加手段に設定し、前記負荷計測手段に計測指示を発行して計測結果を取り込んで出力することを行う負荷設定手段と、
評価項目や評価方法を伴う評価指示を操作入力する入力手段と、受け取った評価結果を視認可能に出力する出力装置とを備える操作装置と、
前記操作装置からの評価指示を受けて、前記入力設定手段に対して評価項目に応じた前記入力情報の１つまたは値を異ならせた複数を設定指示と共に発行し、前記負荷設定手段に対して評価項目に応じた前記負荷情報の１つまたは値を異ならせた複数を設定指示と共に発行し、それぞれからの設定完了の通知を受けて前記入力設定手段に対し前記電源入力手段への制御指示を発行し、評価項目に応じて前記入力設定手段と前記負荷設定手段の一方または双方に計測指示を発行し、評価項目に応じて前記入力設定手段と前記負荷設定手段の一方または双方から受け取った計測結果を解析し、その解析した内容を前記評価結果として前記操作装置に与える一連の制御を行う制御手段と、
を備えていることを特徴とする直流電源装置評価システム。
【請求項２】
前記直流電源装置の入力波形と出力波形の一方または双方を指示に従って計測する波形計測手段を備え、前記制御手段は、前記評価項目に応じて、前記入力計測手段および前記負荷計測手段に代えて、前記波形計測手段が計測した前記直流電源装置の入力波形と出力波形の一方または双方を評価結果として前記操作装置に与える、
ことを特徴とする請求項１に記載の直流電源装置評価システム。
【請求項３】
前記制御手段は、前記評価項目が突入電流特性であるとき、
前記負荷設定手段に対して、前記負荷印加手段が或る負荷電流の流れる負荷状態を実現できるようにする前記負荷情報の設定指示を発行し、前記入力設定手段に対して、前記の負荷状態に対応する所定の交流電圧を前記直流電源装置に供給できるようにする前記入力情報の設定指示を発行し、
前記の各設定手段が設定を完了すると、前記入力設定手段に対して、前記電源入力手段への電源投入スイッチの投入制御指示を発行するのと同時に、前記入力計測手段による計測指示を発行し、前記電源投入スイッチの投入直後における秒オーダーの短期間内において前記入力計測手段が計測する前記直流電源装置の入力電流の計測値における最大値を求め、それを前記操作装置に与える、
または、前記の各設定手段が設定を完了すると、前記入力設定手段に対して、前記電源入力手段への電源投入スイッチの投入制御指示を発行するのと同時に、前記波形計測手段に対して前記直流電源装置の入力波形を計測させる指示を発行し、前記電源投入スイッチの投入直後における秒オーダーの短期間において前記波形計測手段が計測する前記直流電源装置の入力波形を前記操作装置に与える、
ことを特徴とする請求項１または２に記載の直流電源装置評価システム。
【請求項４】
前記制御手段は、前記評価項目が初期ドリフト特性であるとき、
前記負荷設定手段に対して、前記負荷印加手段が或る負荷電流が流れる負荷状態を実現できるようにする前記負荷情報の設定指示を発行し、前記入力設定手段に対して、前記の負荷状態に対応する所定の交流電圧を前記直流電源装置に供給できるようにする前記入力情報の設定指示を発行し、
前記の各設定手段が設定を完了すると、前記入力設定手段に対して前記電源入力手段への電源投入スイッチの投入制御指示を発行するのと同時に、前記負荷設定手段に対して前記負荷計測手段への計測指示を発行し、
前記電源投入スイッチの投入直後から約１時間以内の所定期間内において前記負荷計測手段が計測した負荷電圧を取り込み、前記電源投入スイッチの投入直後の近傍に定めた測定点での測定値と前記所定期間の終端付近に定めた測定点での測定値との差分値または双方の測定値を前記操作装置に与える、
ことを特徴とする請求項１に記載の直流電源装置評価システム。
【請求項５】
前記制御手段は、前記評価項目が経時ドリフト特性であるとき、
前記負荷設定手段に対して、前記負荷印加手段が或る負荷電流が流れる負荷状態を実現できるようにする前記負荷情報の設定指示を発行し、前記入力設定手段に対して、前記の負荷状態に対応する所定の交流電圧を前記直流電源装置に供給できるようにする前記入力情報の設定指示を発行し、
前記の各設定手段が設定を完了すると、前記入力設定手段に対して前記電源入力手段への電源投入スイッチの投入制御指示を発行するのと同時に、前記負荷設定手段に対して前記負荷計測手段への計測指示を発行し、
前記電源投入スイッチの投入直後から数時間以内の所定期間内において前記負荷計測手段が計測した負荷電圧を取り込み、前記所定期間の開始端付近に定めた測定点での測定値と前記所定期間の終端付近に定めた測定点での測定値との差分値または双方の測定値を前記操作装置に与える、
ことを特徴とする請求項１に記載の直流電源装置評価システム。
【請求項６】
前記制御手段は、前記評価項目が静的相互負荷変動特性であるとき、
前記入力設定手段に対して、所定の交流電圧を前記直流電源装置に供給できるようにする前記入力情報の設定指示を発行し、前記負荷設定手段に対して、前記負荷印加手段が複数の出力端を有する前記直流電源装置の各出力端に前記の供給交流電圧に対応した負荷状態を実現する際に、一の出力端では定格負荷の小さい方の第１の値から大きい方の第２の値までの範囲内で定めた所定の間隔毎に段々に変化する負荷状態を実現し、残りの出力端では一定の負荷状態を実現できるようにする前記負荷情報の設定指示を発行し、
前記の各設定手段が設定を完了すると、前記入力設定手段に対して前記電源入力手段への電源投入スイッチの投入制御指示を発行するとともに、前記負荷設定手段に対して前記負荷計測手段に前記残りの出力端について計測させる指示を発行し、
前記負荷計測手段が計測した前記残りの出力端での負荷電圧を取り込み、前記一の出力端での負荷状態が、定格負荷の前記第１の値近傍に定めた一の間隔にあるときの測定値と、定格負荷の前記第２の値近傍に定めた他の一の間隔にあるときの測定値との差分値または双方の測定値を前記操作装置に与える、
ことを特徴とする請求項１に記載の直流電源装置評価システム。
【請求項７】
前記制御手段は、前記評価項目が動的相互負荷変動特性であるとき、
前記負荷設定手段に対して、前記負荷印加手段が或る負荷電流が流れる負荷状態を実現できるようにする前記負荷情報の設定指示を発行し、前記入力設定手段に対して、前記の負荷状態に対応する前記直流電源装置の入力電圧範囲内において、比較的値が離れた第１の交流電圧と第２の交流電圧とを切り替えて前記直流電源装置に供給できるようにする前記入力情報の設定指示を発行し、
前記の各設定手段が設定を完了すると、前記入力設定手段に対して前記電源入力手段への電源投入スイッチの投入制御指示を発行し、前記負荷設定手段に対して前記負荷計測手段への計測指示を発行し、前記負荷計測手段が計測した、前記直流電源装置が、前記第１の交流電圧で動作したときの負荷電圧と、前記第２の交流電圧で動作したときの負荷電圧と、の差分値または双方の計測値を前記操作装置に与える、
または、前記の各設定手段が設定を完了すると、前記入力設定手段に対して前記電源入力手段への電源投入スイッチの投入制御指示を発行し、前記波形計測手段に対して前記直流電源装置の出力波形を計測させる指示を発行し、前記波形計測手段が計測した、前記直流電源装置が、前記第１の交流電圧で動作したときの出力波形と、前記第２の交流電圧で動作したときの出力波形と、を前記操作装置に与える、
ことを特徴とする請求項１または２に記載の直流電源装置評価システム。
【請求項８】
前記制御手段は、前記評価項目が入力瞬断特性の評価であるとき、
前記負荷設定手段に対して、前記負荷印加手段が或る負荷電流が流れる負荷状態を実現できるようにする前記負荷情報の設定指示を発行し、前記入力設定手段に対して、前記の負荷状態に対応する所定の交流電圧を前記直流電源装置に供給する際に、その供給を所定期間停止できるようにする前記入力情報の設定指示を発行し、
前記の各設定手段が設定を完了すると、前記入力設定手段に対して、前記電源入力手段への電源投入スイッチの投入制御指示を発行するとともに、前記負荷設定手段に対して前記負荷計測手段への計測指示を発行し、前記負荷計測手段が計測した前記供給停止期間の開始端から終端に至る各負荷電圧の変動値を求め、その変動値が所定値を下回る時間を前記操作装置に与える、
または、前記の各設定手段が設定を完了すると、前記入力設定手段に対して、前記電源入力手段への電源投入スイッチの投入制御指示を発行し、前記波形計測手段に対して前記直流電源装置の入出力波形を計測させる指示を発行し、
前記波形計測手段が計測した、前記直流電源装置の入力電圧波形および前記供給停止期間での前記直流電源装置の出力電圧波形を前記操作装置に与える、
ことを特徴とする請求項１または２に記載の直流電源装置評価システム。
【請求項９】
前記制御手段は、前記評価項目が動的負荷変動特性であるとき、
前記入力設定手段に対して、所定の交流電圧を前記直流電源装置に供給できるようにする前記入力情報の設定指示を発行し、前記負荷設定手段に対して、前記負荷印加手段が前記直流電源装置の出力端に前記の供給交流電圧に対応した負荷状態を実現する際に、定格負荷の小さい方に定めた第１の負荷状態と、定格負荷の大さい方に定めた第２の負荷状態とを切り替えて実現できるようにする前記負荷情報の設定指示を発行し、
前記の各設定手段が設定を完了すると、前記入力設定手段に対して前記電源入力手段への電源投入スイッチの投入制御指示を発行し、前記負荷設定手段に対して前記負荷計測手段への計測指示を発行し、  前記負荷計測手段が計測した前記第１の負荷状態および前記第２の負荷状態での各負荷電圧の差分値または双方の測定値を前記操作装置に与える、
または、前記の各設定手段が設定を完了すると、前記入力設定手段に対して前記電源入力手段への電源投入スイッチの投入制御指示を発行し、前記波形計測手段に対して前記直流電源装置の出力波形を計測させる指示を発行し、前記波形計測手段が計測した前記第１の負荷状態および前記第２の負荷状態での各負荷電流波形および各負荷電圧波形を前記操作装置に与える、
ことを特徴とする請求項１または２に記載の直流電源装置評価システム。
【請求項１０】
前記制御手段は、前記操作装置からの指示に従って、前記入力設定手段に設定を指示する入力情報における周波数を、５０Ｈｚまたは６０Ｈｚのいずれか一方とする場合と、５０Ｈｚと６０Ｈｚとを交互に切り替える場合とを選択して、請求項３から請求項９に記載の各評価制御を実施することを特徴とする請求項１または２に記載の直流電源装置評価システム。
【請求項１１】
前記制御手段は、前記操作装置から複数の評価項目を伴う評価指示が入力すると、指示された前記複数の評価項目の中の１つを選択して対応する評価制御を実施し、評価を終了すると直ちに他の評価項目に切り替えて対応する評価制御を実施することを繰り返し、指示された複数の評価項目についての各評価結果を前記操作装置に与えることを特徴とする請求項１または２に記載の直流電源装置評価システム。
【請求項１２】
１以上の出力端を有する直流電源装置の入出力特性を評価する直流電源評価装置であって、
設定された入力情報が示す周波数における交流電圧、交流電流を前記直流電源装置に供給し、前記入力情報に所定期間の供給停止指示があときはその指示期間内前記供給の停止を行う交流安定化電源手段と、
前記交流安定化電源手段から前記直流電源装置への交流電源供給路に介在する電源投入スイッチの投入制御とその解除制御とを指示に従って行う電源入力手段と、
前記直流電源装置の入力電圧、入力電流等を指示に従って計測する入力計測手段と、
指示に従って、前記交流安定化電源手段に前記供給停止指示を含む前記入力情報を設定し、前記電源入力手段に前記電源投入スイッチの制御を指示し、前記入力計測手段に計測指示を発行して計測結果を取り込んで出力することを行う入力設定手段と、
設定された負荷情報が示す負荷電圧、負荷電流による負荷状態を前記直流電源装置の出力端に実現する負荷印加手段と、
前記負荷印加手段が前記直流電源装置の出力端に実現した負荷状態における前記直流電源装置の負荷電圧、負荷電流等を指示に従って計測する負荷計測手段と、
指示に従って、前記負荷情報を前記負荷印加手段に設定し、前記負荷計測手段に計測指示を発行して計測結果を取り込んで出力することを行う負荷設定手段と、
評価項目や評価方法を伴う評価指示を操作入力する入力手段と、受け取った評価結果を表示する表示装置とを備える操作装置と、
前記操作装置からの評価指示を受けて、前記入力設定手段に対して評価項目に応じた前記入力情報の１つまたは値を異ならせた複数を設定指示と共に発行し、前記負荷設定手段に対して評価項目に応じた前記負荷情報の１つまたは値を異ならせた複数を設定指示と共に発行し、それぞれからの設定完了の通知を受けて前記入力設定手段に対し前記電源入力手段への制御指示を発行し、評価項目に応じて前記入力設定手段と前記負荷設定手段の一方または双方に計測指示を発行し、評価項目に応じて前記入力設定手段と前記負荷設定手段の一方または双方から受け取った計測結果を解析し、その解析した内容を前記評価結果として前記操作装置に与える一連の制御を行う制御手段と、
を備えていることを特徴とする直流電源評価装置。
【請求項１３】
前記直流電源装置の入力波形と出力波形の一方または双方を指示に従って計測する波形計測手段を備え、前記制御手段は、前記評価項目に応じて、前記入力計測手段および前記負荷計測手段に代えて、前記波形計測手段が計測した前記直流電源装置の入力波形と出力波形の一方または双方を評価結果として前記操作装置に与える、
ことを特徴とする請求項１２に記載の直流電源評価装置。
【発明の詳細な説明】
【技術分野】
【０００１】
この発明は、直流電源装置の入出力特性を測定して評価する直流電源装置評価システムおよび直流電源評価装置に関するものである。
【背景技術】
【０００２】
電子制御装置を搭載した機器は、家庭用や業務用などの各種の分野で使用されており、それらの電子制御装置の駆動源としての直流電源装置も各種の態様で使用されている。そして、電子制御装置の性能向上に伴って、直流電源装置に対し、大出力、多出力、小型化の要求とともに、高い効率（発熱抑制）やノイズ発生防止、入力や負荷の変動に対する出力の安定性が要求されている。最近では、直流安定化電源装置は、高効率・小型軽量化の点で優れていることから、整流回路と高周波スイッチング方式を用いたＤＣ−ＤＣコンバータとを組み合わせたスイッチングレギュレータが主流になってきているが、多出力安定化電源装置には、更に、直列型制御回路を組み合わせたものもあり複雑化してきている。
【０００３】
ところで、直流電源装置に障害が発生すると、本体機器がダウンするだけでなく、メモリ中の貴重な記録が損なわれたりする虞がある。また、機器組込用の直流電源装置では、無負荷で使用される場合は少なく、仕様によって、定格負荷またはそれに近い最小負荷と、最大負荷とが指定されているが、単独または組込中に誤って無負荷のまま電源が投入されたり、組込後にも誤って回路をショートされたりすることが起こると、それらによる直流電源装置の破損や無負荷時の異常電圧発生、ショートによる異常発熱によって本体機器の破損や焼損，発煙，発火等の重大事故を招く虞もある。したがって、直流電源装置の検査は、重要な検査項目の一つである。
【０００４】
【特許文献１】特許第３２６４６７８号公報
【発明の開示】
【発明が解決しようとする課題】
【０００５】
しかしながら、特性項目が多く大量の特性データが得られる直流電源装置の特性評価では、入力電圧範囲内で数多くの測定を行わなければならないので、直流電源装置の特性評価を係員が手作業で行う場合には、つぎのような問題がある。
【０００６】
まず、係員が、個々の入力条件や出力条件を手作業で入力しつつ、入力電圧（ＡＣ）あるいは出力負荷を変えながらの入出力の電圧・電流・電力を測定し、手計算によって変動率、効率等を求める場合は、評価に時間がかかる上に、操作が煩雑であるためにミスも起き易い。
【０００７】
また、直流電源装置の特性評価試験は、測定項目が極めて多岐に渡るために、測定データや計算によって得られる特性データも多くなるが、係員が介在する場合は、上記のようにミスが起き易いので、測定データを、誤差混入が極小の高精度な状態で取得するのが困難である。
【０００８】
さらに、項目、データ、結果の数が多いために、係員が熟練した技術者でない場合は、誤った判定を起こし易く、正しい判定が困難となる場合がある。
【０００９】
そこで、このような問題を解決するために、例えば上記の特許文献１では、電子制御装置に応じて入出力条件、負荷条件を設定し、その測定条件を順次変更しながら測定し、その測定値を所定形式で記録することで、人手によらず短時間で確実なデータが得られるとともに、結果データが熟練した技術者でなくとも判断し易い形で得られるようにした直流電源装置の評価システムが提案されている。
【００１０】
この特許文献１に開示される技術によれば、評価項目が多く大量の評価結果が得られる直流電源装置の評価時間を短縮でき、同時に誤判定の防止を可能にして熟練した技術者でなくとも正しく評価が行えるようになる。この発明は、同様の目的を異なる構成で実現するものである。
【００１１】
この発明は、上記に鑑みてなされたものであり、確実な評価結果が、短時間で人手によらず、かつ判断し易い形で得られ、操作者が熟練者でなくとも、誤り無く判定を行うことができる直流電源装置評価システムおよび直流電源評価装置を得ること目的とする。
【課題を解決するための手段】
【００１２】
上述した目的を達成するために、この発明は、１以上の出力端を有する直流電源装置の入出力特性を評価する直流電源装置評価システムであって、設定された入力情報が示す周波数での交流電圧、交流電流を前記直流電源装置に供給し、前記入力情報に所定期間の供給停止指示があるときはその指示期間内前記供給の停止を行う交流安定化電源手段と、指示に従って、前記交流安定化電源手段から前記直流電源装置への交流電源供給路に介在する電源投入スイッチの投入制御とその解除制御とを行う電源入力手段と、指示に従って、前記直流電源装置の入力電圧、入力電流等を計測する入力計測手段と、指示に従って、前記交流安定化電源手段に前記供給停止指示を含む前記入力情報を設定し、前記電源入力手段に前記電源投入スイッチの制御を指示し、前記入力計測手段に計測指示を発行して計測結果を取り込んで出力することを行う入力設定手段と、設定された負荷情報が示す負荷電圧、負荷電流による負荷状態を前記直流電源装置の出力端に実現する負荷印加手段と、前記負荷印加手段が前記直流電源装置の出力端に実現した負荷状態における前記直流電源装置の負荷電圧、負荷電流等を指示に従って計測する負荷計測手段と、指示に従って、前記負荷情報を前記負荷印加手段に設定し、前記負荷計測手段に計測指示を発行して計測結果を取り込んで出力することを行う負荷設定手段と、評価項目や評価方法を伴う評価指示を操作入力する入力手段と、受け取った評価結果を視認可能に出力する出力装置とを備える操作装置と、前記操作装置からの評価指示を受けて、前記入力設定手段に対して評価項目に応じた前記入力情報の１つまたは値を異ならせた複数を設定指示と共に発行し、前記負荷設定手段に対して評価項目に応じた前記負荷情報の１つまたは値を異ならせた複数を設定指示と共に発行し、それぞれからの設定完了の通知を受けて前記入力設定手段に対し前記電源入力手段への制御指示を発行し、評価項目に応じて前記入力設定手段と前記負荷設定手段の一方または双方に計測指示を発行し、評価項目に応じて前記入力設定手段と前記負荷設定手段の一方または双方から受け取った計測結果を解析し、その解析した内容を前記評価結果として前記操作装置に与える一連の制御を行う制御手段とを備えていることを特徴とする。
【発明の効果】
【００１３】
この発明によれば、操作装置では、評価項目を指定した評価指示を与えるだけで、評価項目毎に評価結果が入力し、操作者に対して視認可能に出力する。このように、確実な評価結果が、短時間で人手によらず、かつ判断し易い形で得られるので、操作者が熟練者でなくとも、誤り無く判定を行うことができるという効果を奏する。
【発明を実施するための最良の形態】
【００１４】
以下に図面を参照して、この発明にかかる直流電源装置評価システムおよび直流電源評価装置の好適な実施の形態を詳細に説明する。
【００１５】
図１は、この発明の一実施の形態による直流電源装置評価システムの構成を示すブロック図である。図１において、評価対象である直流電源装置１は、特定の入出力仕様を有するものではなく、交流入力電圧が１００Ｖ或いは１２０Ｖなど、任意の電子制御装置で使用されるものである。直流出力は、１つでも良いが、２以上の直流出力を有する直流電源装置用の評価項目もあるので、図１では、２つの直流出力が得られる場合を示してある。
【００１６】
この直流電源装置１の評価システムは、オペレータが操作する上位装置である操作装置２に接続される制御手段３と、制御手段３の配下に並列に設けられる入力設定手段４及び負荷設定手段５と、入力設定手段４の配下に並列に設けられる交流安定化電源手段６、電源入力手段７及び入力計測手段８と、負荷設定手段５の配下に並列に設けられる負荷印加手段９及び負荷計測手段１０とを備えている。そして、２次的な計測手段として、波形計測手段１１が、制御手段３に接続される場合がある。ここでの入力設定手段４及び負荷設定手段５は、いわゆるインタフェース回路として機能している。
【００１７】
操作装置２は、オペレータが、制御手段３に対して評価指示を出し、制御手段３から受け取った評価結果を確認するのに使用する装置である。つまり、操作装置２は、オペレータが評価項目や評価方法を伴う評価指示を操作入力する入力部と、制御手段３から受け取った評価結果をオペレータが視認可能に出力する出力部と、入力部と出力部とを制御する制御部とを備えている。
【００１８】
操作装置２の入力部は、テンキーやファンクションキーを備えている。操作装置２の出力部は、評価結果を表示する表示装置と、評価結果を印刷出しする印刷装置の一方または両方を備えている。操作装置２の制御部は、簡単なプログラム制御を実施するＣＰＵを備え、入力部での操作制御、表示装置や印刷装置の制御を行い、また、入力部から入力するオペレータの指示に従って、制御手段３から受け取った評価結果を、直ぐに表示・印刷出しする制御も、一旦メモリにストアして後から表示・印刷出しする制御も、行えるようになっている。
【００１９】
ここで、「評価項目」としては、突入電流特性と、初期ドリフト特性と、経時ドリフト特性と、静的相互負荷特性と、動的入力変動特性と、入力瞬断特性と、動的負荷変動特性と、その他の特性（例えば、効率、リプルノイズなど）とが挙げられる。
【００２０】
また、「評価方法」としては、各評価項目において、１回だけ評価するか、複数回繰り返し評価するか、複数の評価項目を順に切り替えて評価するか、商用周波数として５０Ｈｚと６０Ｈｚの何れを使用するか、両者を切り替えて使用するか、などが挙げられる。これらの指定入力方法は、任意であって、テンキーやファンクションキーのいずれか一方を使用すればよい。
【００２１】
制御手段３は、プログラム制御によって配下に接続される上記した各部を制御する。制御手段３のメモリには、ＣＰＵが実施する、評価項目毎の評価実施プログラムと、計測結果を解析する解析プログラムとが用意されている。そして、御手段３のメモリには、ＣＰＵが評価実施プログラムを実施する際に利用する、入力設定手段４に交流安定化電源手段６への設定を指示する入力情報と、負荷設定手段５に負荷印加手段９への設定を指示する負荷情報と、上記の「評価方法」に対応して各種の制御態様とが用意されている。
【００２２】
入力情報には、交流安定化電源手段６に出力させる交流電圧、交流電流、その時の周波数、出力の一時停止期間などが規定されている。また、負荷情報には、負荷印加手段９が直流電源装置１の出力端に実現する負荷状態を定める負荷電圧、負荷電流などが規定されている。
【００２３】
ここで、入力情報は入力設定手段４に与えられ、負荷情報は負荷設定手段５に与えられるが、その与え方などは、上記の「評価方法」に対応してメモリに用意される各種の制御態様によって定まる。
【００２４】
すなわち、「評価方法」が各評価項目において、「１回だけ評価する」であるときは、１つの値である入力情報、負荷情報を１回だけ与えるが、「複数回繰り返し評価する」であるときは、値が異なる複数の入力情報、負荷情報を順に与える。
【００２５】
また、「評価方法」が「複数の評価項目を順に切り替えて評価する」であるときは、複数の評価項目に対応した複数の入力情報、負荷情報を順に切り替えて与える。そして、入力情報での周波数は、「評価方法」が「５０Ｈｚと６０Ｈｚの何れかを使用する」である場合は、そこで指定された５０Ｈｚと６０Ｈｚのいずれか一方となるが、「評価方法」が「５０Ｈｚと６０Ｈｚを切り替えて使用する」である場合は、１つの値である入力情報において、５０Ｈｚと６０Ｈｚとを交互に切り替えて入力設定手段４に与える。
【００２６】
入力設定手段４は、制御手段３から与えられる入力情報を交流安定化電源６に設定し、完了すると制御手段３に終了通知を送り、制御手段３からの指示に従って、入力電源手段７と入力計測手段８に動作開始指示を与え、入力計測手段８の計測結果を制御手段３に送る。
【００２７】
交流安定化電源６は、設定された入力情報が示す周波数での交流電圧、交流電流を生成して、入力電源手段７を介して直流電源装置１に供給する。その際に、交流安定化電源６は、入力情報に所定期間の供給停止指示があるときはその指示期間内前記の供給を停止することを行う。
【００２８】
入力電源手段７は、入力設定手段４からの指示に従って、交流安定化電源手段６から直流電源装置１への交流電圧供給路に介在する電源投入スイッチをオン・オフ制御する。
【００２９】
入力計測手段８は、入力設定手段４からの計測開始指示に従って、直流電源装置１の入力電圧、入力電流、入力電力などを計測し、計測結果を入力設定手段４に与える。
【００３０】
負荷設定手段５は、制御手段３から与えられる負荷情報を負荷印加手段９に設定し、完了すると制御手段３に終了通知を送り、制御手段３からの指示に従って、負荷計測手段１０に計測開始指示を与え、負荷計測手段１０の計測結果を制御手段３に送る。
【００３１】
負荷印加手段９は、直流電源装置１の出力端に接続される図示しない可変負荷回路を備え、その可変負荷回路に、設定された負荷情報が示す負荷電圧、負荷電流を印加して、直流電源装置１の出力端に所定の負荷状態を実現する。
【００３２】
負荷計測手段１０は、負荷設定手段５からの計測開始指示に従って、負荷印加手段９が実現した負荷状態での直流電源装置１の出力端に送出される負荷電圧、負荷電流、負荷電力を計測し、負荷設定手段５に与える。
【００３３】
制御手段３は、入力設定手段４と負荷設定手段５とから設定完了通知を受け取ると、基本的には、全ての上記した評価項目において入力設定手段４と負荷設定手段５とに、計測開始の指示を与えるが、一部の評価項目においては、入力設定手段４と負荷設定手段５とに計測開始の指示を与えず、波形計測手段１１に計測開始の指示を与える。この場合は、波形計測手段１１が、制御手段３からの指示に従って、直流電源装置１の入力波形と出力波形の一方または両方を計測して、制御手段３に与えるようになっている。
【００３４】
次に、以上の構成によって、操作装置２からの評価指示に応じて制御手段３が各部を制御して行われる評価動作について説明する。
【００３５】
（１）評価項目が突入電流特性であるときの評価動作：
制御手段３は、負荷設定手段５に対して、負荷印加手段９が或る負荷電流の流れる負荷状態を実現できるようにする負荷情報の設定指示を発行し、入力設定手段４に対して、前記の負荷状態に対応する所定の交流電圧を直流電源装置１に供給できるようにする入力情報の設定指示を発行する。
【００３６】
そして、各設定手段が設定を完了すると、制御手段３は、入力設定手段４に対して、電源入力手段７への電源投入スイッチの投入制御指示を発行するのと同時に、入力計測手段８による計測指示を発行し、電源投入スイッチの投入直後における秒オーダーの短期間内において入力計測手段８が計測する直流電源装置の入力電流の計測値における最大値を求め、それを操作装置２に与える。
【００３７】
または、制御手段３は、前記の各設定手段が設定を完了すると、入力設定手段に対して電源入力手段７への電源投入スイッチの投入制御指示を発行するのと同時に、波形計測手段１１に対して直流電源装置１の入力波形を計測させる指示を発行し、電源投入スイッチの投入直後における秒オーダーの短期間において波形計測手段１１が計測する直流電源装置１の入力波形を操作装置２に与える。
【００３８】
（２）評価項目が初期ドリフト特性であるときの評価動作：
制御手段３は、負荷設定手段４に対して、負荷印加手段９が或る負荷電流が流れる負荷状態を実現できるようにする負荷情報の設定指示を発行し、入力設定手段４に対して、前記の負荷状態に対応する所定の交流電圧を前記直流電源装置１に供給できるようにする入力情報の設定指示を発行する。
【００３９】
次に、前記の各設定手段が設定を完了すると、制御手段３は、入力設定手段４に対して電源入力手段７への電源投入スイッチの投入制御指示を発行するのと同時に、負荷設定手段５に対して負荷計測手段１０への計測指示を発行する。
【００４０】
そして、制御手段３は、電源投入スイッチの投入直後から約１時間以内の所定期間（例えば、３０分）以内において負荷計測手段１０が計測した負荷電圧を取り込み、電源投入スイッチの投入直後の近傍（例えば、０分）に定めた測定点での測定値と、前記の所定期間の終端付近（例えば、３０分）に定めた測定点での測定値との差分値または双方の測定値を操作装置２に与える。
【００４１】
（３）評価項目が経時ドリフト特性であるときの評価動作：
制御手段３は、負荷設定手段５に対して、負荷印加手段９が或る負荷電流が流れる負荷状態を実現できるようにする負荷情報の設定指示を発行し、入力設定手段４に対して、前記の負荷状態に対応する所定の交流電圧を直流電源装置に供給できるようにする入力情報の設定指示を発行する。
【００４２】
次に、制御手段３は、前記の各設定手段が設定を完了すると、入力設定手段４に対して電源入力手段７への電源投入スイッチの投入制御指示を発行するのと同時に、負荷設定手段５に対して負荷計測手段９への計測指示を発行する。
【００４３】
そして、制御手段３は、電源投入スイッチの投入直後から数時間以内の所定期間（例えば、８時間）以内において負荷計測手段９が計測した負荷電圧を取り込み、前記の所定期間の開始端付近（例えば、３０分）に定めた測定点での測定値と、前記の所定期間の終端付近（例えば、８時間）に定めた測定点での測定値との差分値または双方の測定値を操作装置２に与える。
【００４４】
（４）評価項目が静的相互負荷変動特性であるときの評価動作：
制御手段３は、入力設定手段４に対して、所定の交流電圧を直流電源装置１に供給できるようにする入力情報の設定指示を発行し、負荷設定手段５に対して、負荷印加手段９が複数の出力端を有する直流電源装置１の各出力端に前記の供給交流電圧に対応した負荷状態を実現する際に、一の出力端では、定格負荷の第１の値から第２の値（例えば、０％から１２０％）までの範囲内で定めた所定の間隔（例えば、５％）毎に段々に変化する負荷状態を実現し、残りの出力端では一定の負荷状態を実現できるようにする負荷情報の設定指示を発行する。
【００４５】
次に、前記の各設定手段が設定を完了すると、制御手段３は、入力設定手段４に対して電源入力手段７への電源投入スイッチの投入制御指示を発行するとともに、負荷設定手段５に対して負荷計測手段１０に残りの出力端について計測させる指示を発行し、負荷計測手段１０が計測した残りの出力端での負荷電圧を取り込む。
【００４６】
そして、制御手段３は、一の出力端での負荷状態が、定格負荷の前記第１の値近傍に定めた一の間隔にあるときの測定値と、定格負荷の第２の値近傍に定めた他の一の間隔にあるときの測定値との差分値または双方の測定値を前記操作装置に与える。
【００４７】
（５）評価項目が動的相互負荷変動特性であるときの評価動作：
前記制御手段３は、負荷設定手段５に対して、負荷印加手段９が或る負荷電流が流れる負荷状態を実現できるようにする負荷情報の設定指示を発行し、入力設定手段４に対して、前記の負荷状態に対応する直流電源装置１の入力電圧範囲内において、比較的値が離れた第１の交流電圧（例えば、８３Ｖ）と第２の交流電圧（例えば、１３８Ｖ）とを切り替えて直流電源装置１に供給できるようにする入力情報の設定指示を発行する。
【００４８】
次に、前記の各設定手段が設定を完了すると、前記制御手段３は、入力設定手段４に対して電源入力手段７への電源投入スイッチの投入制御指示を発行するとともに、負荷設定手段５に対して負荷計測手段１０への計測指示を発行する。そして、負荷計測手段１０が計測した、直流電源装置１が、前記第１の交流電圧で動作したときの負荷電圧と、前記第２の交流電圧で動作したときの負荷電圧と、の差分値または双方の計測値を操作装置２に与える。
【００４９】
または、前記の各設定手段が設定を完了すると、前記制御手段３は、入力設定手段４に対して電源入力手段７への電源投入スイッチの投入制御指示を発行し、波形計測手段１１に対して直流電源装置１の出力波形を計測させる指示を発行し、波形計測手段１１が計測した、直流電源装置１が、前記第１の交流電圧で動作したときの出力波形と、前記第２の交流電圧で動作したときの出力波形とを操作装置２に与える。
【００５０】
（６）評価項目が入力瞬断特性の評価であるときの評価動作：
制御手段３は、負荷設定手段５に対して、負荷印加手段９が或る負荷電流が流れる負荷状態を実現できるようにする負荷情報の設定指示を発行し、入力設定手段４に対して、前記の負荷状態に対応する所定の交流電圧を直流電源装置１に供給する際に、その供給を所定期間（例えば、１０ｍｓ〜１００ｍｓ）停止できるようにする入力情報の設定指示を発行する。
【００５１】
そして、前記の各設定手段が設定を完了すると、制御手段３は、入力設定手段４に対して、電源入力手段７への電源投入スイッチの投入制御指示を発行し、負荷設定手段５に対して負荷計測手段１０への計測指示を発行する。次に、負荷計測手段１０が計測した供給停止期間の開始端から終端に至る各負荷電圧の変動値を求め、その変動値が所値（例えば、任意の値として５％）を下回る時間を操作装置２に与える。
【００５２】
または、前記の各設定手段が設定を完了すると、制御手段３は、入力設定手段に対して電源入力手段７への電源投入スイッチの投入制御指示を発行し、波形計測手段１１に対して直流電源装置１の入出力波形を計測させる指示を発行する。そして、波形計測手段１１が計測した、直流電源装置の入力電圧波形および供給停止期間での直流電源装置１の出力電圧波形を操作装置に与える。
【００５３】
（７）評価項目が動的負荷変動特性であるときの評価動作：
制御手段３は、入力設定手段７に対して、所定の交流電圧を直流電源装置１に供給できるようにする入力情報の設定指示を発行し、負荷設定手段５に対して、負荷印加手段９が直流電源装置１の出力端に前記の供給交流電圧に対応した負荷状態を実現する際に、定格負荷の小さい方に定めた第１の負荷状態（例えば、０％）と、定格負荷の大きい方に定めた第２の負荷状態（例えば、１２０％）とを切り替えて実現できるようにする負荷情報の設定指示を発行する。
【００５４】
そして、前記の各設定手段が設定を完了すると、制御手段３は、入力設定手段４に対して電源入力手段７への電源投入スイッチの投入制御指示を発行し、負荷設定手段５に対して負荷計測手段１０への計測指示を発行する。次に、負荷計測手段１０が計測した前記第１の負荷状態および前記第２の負荷状態での各負荷電圧の差分値または双方の測定値を前記操作装置に与える。
【００５５】
または、前記の各設定手段が設定を完了すると、制御手段３は、入力設定手段４に対して電源入力手段７への電源投入スイッチの投入制御指示を発行し、波形計測手段１１に対して直流電源装置１の出力波形を計測させる指示を発行する。そして、波形計測手段１１が計測した第１の負荷状態および第２の負荷状態での各負荷電流波形および各負荷電圧波形を操作装置に与える。
【００５６】
（８）評価項目が効率であるときの評価動作：
制御手段３は、負荷設定手段５に対して、負荷印加手段９が或る負荷電流の流れる負荷状態を実現できるようにする前記負荷情報の設定指示を発行し、入力設定手段４に対し、前記の負荷状態に対応する所定の交流電圧を直流電源装置１に供給できるようにする前記入力情報の設定指示を発行する。
【００５７】
そして、前記の各設定手段が設定を完了すると、制御手段３は、入力設定手段４に対して、前記電源入力手段への電源投入スイッチの投入制御指示を発行し、入力設定手段４及び負荷設定手段５に入力電力及び出力電力の計測指示を発行する。
【００５８】
次に、制御手段３は、入力計測手段８が計測した入力電力と負荷計測手段１０が計測した負荷電力とから効率を求め、操作装置２に与える。或いは、入力計測手段８が計測した入力電力と負荷計測手段１０が計測した負荷電力とを操作装置２に与える。
【００５９】
（９）評価項目がリプルノイズであるときの評価動作：
制御手段３は、負荷設定手段５に対して、負荷印加手段９が或る負荷電流の流れる負荷状態を実現できるようにする前記負荷情報の設定指示を発行し、入力設定手段４に対して、前記の負荷状態に対応する所定の交流電圧を直流電源装置１に供給できるようにする前記入力情報の設定指示を発行する。
【００６０】
そして、前記の各設定手段が設定を完了すると、制御手段３は、波形計測手段１１に直流電源装置１の出力波形の計測指示を与え、取得した直流電源装置１の出力波形を操作装置２に与える。
【００６１】
操作装置２では、オペレータが、簡単なキー操作を行うだけ、評価項目毎に評価結果が短時間内に入力し、表示装置に表示される、或いは印刷出しされる、という形で、オペレータに視認可能に出力される。このように、確実な評価結果が、短時間で人手によらず、かつ判断し易い形で得られるので、オペレータが熟練者でなくとも、誤り無く判定を行うことができる。
【産業上の利用可能性】
【００６２】
以上のように、この発明にかかる直流電源装置評価システムおよび直流電源評価装置は、確実な評価結果が、短時間で人手によらず、かつ判断し易い形で得られ、操作者が熟練者でなくとも、誤り無く判定が行えるようにするのに有用である。
【図面の簡単な説明】
【００６３】
【図１】この発明の一実施の形態による直流電源装置評価システムの構成を示すブロック図である。
【符号の説明】
【００６４】
１  直流電源装置
２  操作装置
３  制御手段
４  入力設定手段
５  負荷設定手段
６  交流安定化電源手段
７  電源入力手段
８  入力計測手段
９  負荷印加手段
１０  負荷計測手段
１１  波形計測手段
【図１】
2009069042.tif 000003